(57)【要約】    【課題】第１網体３の側面に第２網体４を容易且つ確実に装着できるようにする。    【解決手段】平面視形状が屈曲状である第１網体３と、この第１網体３の一側面に配置された第２網体４とを備え、第１網体３、第２網体４は縦横に配置された複数本の縦材５，６と横材７，８とを交差部で固着して成る。第２網体４の縦材６又は横材８は、第１網体３の両端の横材７又は縦材５から外方に突出し且つ第１網体３の横材７又は縦材５に内側から弾性的に係合する突起１０を有し、その突起１０に外れ止め用の係合部１１が設けられている。【選択図】図１
2014076002.tif 000002
【特許請求の範囲】
【請求項１】
第１網体と該第１網体の少なくとも一側面に配置された第２網体とを備え、前記両網体の何れか一方の網体は両端の複数本の突起が他方の網体の網目に弾性的に係合していることを特徴とする網体の結合構造。
【請求項２】
前記各網体は縦横に配置された複数本の縦材と横材とを交差部で固着して成り、少なくとも前記一方の網体の縦材又は横材は、該一方の網体の両端の横材又は縦材から外方に突出し且つ前記他方の網体の横材又は縦材に内側から弾性的に係合する前記突起を有することを特徴とする請求項１に記載の網体の結合構造。
【請求項３】
前記突起は前記一方の網体の前記縦材又は前記横材の両端を折り曲げて形成され且つ前記他方の網体の前記横材又は前記縦材に係脱自在に係合する外れ止め用の係合部を有することを特徴とする請求項２に記載の網体の結合構造。
【請求項４】
前記突起を有する前記一方の網体は前記横材又は前記縦材に対して前記縦材又は前記横材が前記他方の網体と反対側に、前記他方の網体は前記横材又は前記縦材に対して前記縦材又は前記横材が前記一方の網体側に夫々あり、前記一方の網体の両端の前記突起が前記他方の網体の前記縦材又は前記横材に係合したときに、前記両網体の前記縦材同士又は前記横材同士が当接又は近接することを特徴とする請求項２又は３に記載の網体の結合構造。
【請求項５】
前記第１網体は平面山形状に屈曲する縦長状であり、該第１網体により前記第２網体が支持されていることを特徴とする請求項１〜４の何れかに記載の網体の結合構造。
【請求項６】
前記第１網体を自立させる安定化手段を備えたことを特徴とする請求項５に記載の網体の結合構造。
【請求項７】
請求項１〜６の何れかに記載の網体の結合構造を有し、縦長状の前記第１網体と、該第１網体の上部に結合された前記第２網体とを備え、該両網体により長尺植物を支持するようにしたことを特徴とする植物支持装置。
【請求項８】
上下両側の構造物間に両端が前記各構造物に直接的又は間接的に当接する網状支柱を備え、該網状支柱は前記第１網体と前記第２網体とを有することを特徴とする請求項７に記載の植物支持装置。
【請求項９】
平面視形状が適宜形状に屈曲する縦長状の左右一対の前記第１網体と、該各第１網体の上部に接合され且つ上部側が左右方向の内側へと湾曲する縦長状の左右一対の前記第２網体とを備え、前記両第２網体の対向端部同士を連結したことを特徴とする請求項７に記載の植物支持装置。
【請求項１０】
平面視形状が適宜形状に屈曲する縦長状の前記第１網体と、該第１網体の上部に接合され且つ前記第１網体よりも左右幅が大の前記第２網体とを備えたことを特徴とする請求項７に記載の植物支持装置。
【請求項１１】
請求項１〜６の何れかに記載の網体の結合構造を有し、仕切り用の前記第２網体と、該第２網体を起立状に支持する前記第１網体とを備えたことを特徴とする仕切り装置。
【請求項１２】
所定間隔を置いて配置された複数個の前記第２網体と、該各第２網体の一側に設けられた複数個の前記第１網体とを備え、前記第２網体間に１個又は複数個の中間仕切り網体を配置したことを特徴とする請求項１１に記載の仕切り装置。
【請求項１３】
複数個の前記第２網体を連結具により屈折可能に連結し、隣り合う前記第２網体の連結部の一側に、両端の前記突起が前記第２網体の縦材に係合する前記第１網体を配置し、前記隣り合う第２網体の連結部又はその一方と前記第２網体との間に設けられ且つ前記隣り合う第２網体相互の相対角度を規制する規制手段を設けたことを特徴とする請求項１２に記載の仕切り装置。
【請求項１４】
前記規制手段は引っ張り式であり、前記隣り合う第２網体を略直線状、入隅状又は出隅み状に規制することを特徴とする請求項１３に記載の仕切り装置。
【請求項１５】
前記第１網体は下端が接地し、前記第１網体の前記突起は前記第２網体の前記横材の下側で前記縦材に係合し、前記第１網体の前記第２網体と反対側に重錘、杭等の前記安定化手段を設けたことを特徴とする請求項１１〜１４の何れかに記載の仕切り装置。
【発明の詳細な説明】
【技術分野】
【０００１】
本発明は、網体の結合構造、植物支持装置及び仕切り装置に関するものである。
【背景技術】
【０００２】
バラ等の長尺性鑑賞用植物、テッセン、ツタ等の蔓性観葉植物、その他の長尺性植物を栽培する際には、長尺性植物が成長するに伴って絡み付き易くなるように網体を採用した植物支持装置が使用されている。この植物支持装置には、フラットな網体を採用したもの（特許文献１）、ジグザグ状に屈曲する網体を採用したもの（特許文献２）等、各種のものがある。
【０００３】
フラットな網体を採用した植物支持装置は、真っ直ぐな複数本の縦材と横材とを縦横に配置してフラットに網体を構成し、この網体を外枠内に設けている。またジグザグ状の網体を採用した植物支持装置は、ジグザグ状に折り曲げられた複数本の横材の各頂点に縦材を配置して網体を平面視ジグザグ状に構成し、この網体を支柱等で支持するようにしている。
【先行技術文献】
【特許文献】
【０００４】
【特許文献１】特開２００７−２０２４２１号公報
【特許文献２】特開平８−１１２０３９号公報
【発明の概要】
【発明が解決しようとする課題】
【０００５】
この種の植物支持装置は、例えば蔓性植物の成長に伴ってその蔓が順次網体に絡み付くため、蔓性植物を網体のどの箇所でも確実に支えることができるという利点がある。しかし、従来の植物支持装置は、網体部分の大きさ、形状が一定であり、個々人が自分の好みに合わせて形状、大きさを自由に変えることができないという欠点がある。
【０００６】
そこで、第１網体と第２網体とを準備し、第１網体を支持用とし、この第１網体の一側面に第２網体を結合することにより、自分の好みに応じた植物支持装置を製作することが考えられている。その場合、各網体の大小に関係なく、簡単な構造で容易且つ確実に第２網体を基本網体に装着できるようにする必要がある。
【０００７】
また第１網体と第２網体とを結合して催し物会場の仕切り、花壇の廻りのフェンス、庭周辺の植物支持兼用のフェンス等の仕切り装置を構成する場合、或いは第１網体と第２網体とを結合して植木鉢載置装置を構成する場合もあるが、そのような場合にも同様の問題がある。
【０００８】
本発明は、このような従来の問題点に鑑み、第１網体の側面に第２網体を容易且つ確実に装着できる網体の結合構造と、その網体の結合構造を採用した植物支持装置及び仕切り装置を提供することを目的とする。
【課題を解決するための手段】
【０００９】
本発明に係る網体の結合構造は、第１網体と該第１網体の少なくとも一側面に配置された第２網体とを備え、前記両網体の何れか一方の網体は両端の複数本の突起が他方の網体の網目に弾性的に係合したものである。
【００１０】
前記各網体は縦横に配置された複数本の縦材と横材とを交差部で固着して成り、少なくとも前記一方の網体の縦材又は横材は、該一方の網体の両端の横材又は縦材から外方に突出し且つ前記他方の網体の横材又は縦材に内側から弾性的に係合する前記突起を有するものでもよい。
【００１１】
前記突起は前記一方の網体の前記縦材又は前記横材の両端を折り曲げて形成され且つ前記他方の網体の前記横材又は前記縦材に係脱自在に係合する外れ止め用の係合部を有するものでもよい。
【００１２】
前記突起を有する前記一方の網体は前記横材又は前記縦材に対して前記縦材又は前記横材が前記他方の網体と反対側に、前記他方の網体は前記横材又は前記縦材に対して前記縦材又は前記横材が前記一方の網体側に夫々あり、前記一方の網体の両端の前記突起が前記他方の網体の前記縦材又は前記横材に係合したときに、前記両網体の前記縦材同士又は前記横材同士が当接又は近接するものでもよい。
【００１３】
前記第１網体は平面山形状に屈曲する縦長状であり、該第１網体により前記第２網体が支持されているものでもよい。前記第１網体を自立させる安定化手段を備えたものでもよい。
【００１４】
また本発明に係る植物支持装置は、上記の何れかの網体の結合構造を有し、縦長状の前記第１網体と、該第１網体の上部に結合された前記第２網体とを備え、該両網体により長尺植物を支持するようにしたものである。上下両側の構造物間に両端が前記各構造物に直接的又は間接的に当接する網状支柱を備え、該網状支柱は前記第１網体と前記第２網体とを有するものでもよい。
【００１５】
平面視形状が適宜形状に屈曲する縦長状の左右一対の前記第１網体と、該各第１網体の上部に接合され且つ上部側が左右方向の内側へと湾曲する縦長状の左右一対の前記第２網体とを備え、前記両第２網体の対向端部同士を連結したものでもよい。平面視形状が適宜形状に屈曲する縦長状の前記第１網体と、該第１網体の上部に接合され且つ前記第１網体よりも左右幅が大の前記第２網体とを備えたものでもよい。
【００１６】
更に本発明に係る仕切り装置は、上記の何れかの網体の結合構造を有し、仕切り用の前記第２網体と、該第２網体を起立状に支持する前記第１網体とを備えたものである。所定間隔を置いて配置された複数個の前記第２網体と、該各第２網体の一側に設けられた複数個の前記第１網体とを備え、前記第２網体間に１個又は複数個の中間仕切り網体を配置したものでもよい。
【００１７】
複数個の前記第２網体を連結具により屈折可能に連結し、隣り合う前記第２網体の連結部の一側に、両端の前記突起が前記第２網体の縦材に係合する前記第１網体を配置し、前記隣り合う第２網体の連結部又はその一方と前記第２網体との間に設けられ且つ前記隣り合う第２網体相互の相対角度を規制する規制手段を設けたものでもよい。
【００１８】
前記規制手段は引っ張り式であり、前記隣り合う第２網体を略直線状、入隅状又は出隅み状に規制するものでもよい。前記第１網体は下端が接地し、前記第１網体の前記突起は前記第２網体の前記横材の下側で前記縦材に係合し、前記第１網体の前記第２網体と反対側に重錘、杭等の前記安定化手段を設けたたものでもよい。
【発明の効果】
【００１９】
本発明では、第１網体の側面に第２網体を容易且つ確実に装着できる利点がある。
【図面の簡単な説明】
【００２０】
【図１】本発明の第１の実施例を示す植物支持装置の斜視図である。
【図２】同側面図である。
【図３】同平面図である。
【図４】同要部の断面図である。
【図５】本発明の第２の実施例を示す植物支持装置の側面図である。
【図６】同平面図である。
【図７】同要部の拡大断面図である。
【図８】本発明の第３の実施例を示す植物支持装置の斜視図である。
【図９】同平面図である。
【図１０】本発明の第４の実施例を示す植物支持装置の平面図である。
【図１１】同側面図である。
【図１２】同各網体の分解図である。
【図１３】本発明の第５の実施例を示す植物支持装置の側面図である。
【図１４】同平面図である。
【図１５】本発明の第６の実施例を示す植物支持装置の断面図である。
【図１６】同斜視図である。
【図１７】同平面図である。
【図１８】（ａ）〜（ｃ）は係合部分の説明図である。
【図１９】同固定具の平面断面図である。
【図２０】同固定具の側面断面図である。
【図２１】（ａ）は同安定板と第１網体との結合部分の正面断面図、（ｂ）は同側面断面図である。
【図２２】第１網体と当接板との結合部分の正面断面図である。
【図２３】本発明の第７の実施例を示す植物支持装置の正面図である。
【図２４】同平面図である。
【図２５】同係合部分の説明図である。
【図２６】同安定板と第１網体との結合部分の側面断面図である。
【図２７】（ａ）（ｂ）は本発明の第８の実施例を示す植物支持装置の平面図である。
【図２８】（ａ）（ｂ）は本発明の第９の実施例を示す植物支持装置の平面図である。
【図２９】（ａ）（ｂ）は本発明の第１０の実施例を示す植物支持装置の基部断面図である。
【図３０】本発明の第１１の実施例を示す植物支持装置の斜視図である。
【図３１】同断面側面図である。
【図３２】本発明の第１２の実施例を示す仕切り装置の正面図である。
【図３３】同概略平面図である。
【図３４】同連結具の正面図である。
【図３５】同連結具の平面断面図である。
【図３６】本発明の第１３の実施例を示す仕切り装置の正面図である。
【図３７】本発明の第１４の実施例を示す仕切り装置の斜視図である。
【図３８】本発明の第１５の実施例を示す仕切り装置の斜視図である。
【図３９】同側面図である。
【図４０】同要部の平面図である。
【図４１】同要部の拡大平面図である。
【図４２】本発明の第１６の実施例を示す仕切り装置の概略平面図である。
【図４３】同斜視図である。
【図４４】同直線状連結部の平面図である。
【図４５】同入隅状連結部の平面図である。
【図４６】同出隅状連結部の平面図である。
【図４７】本発明の第１７の実施例を示す植木鉢載置装置の側面図である。
【図４８】同正面図である。
【図４９】本発明の第１８の実施例を示す植木鉢載置装置の側面図である。
【発明を実施するための形態】
【００２１】
以下、本発明の各実施形態を図面に基づいて詳述する。図１〜図４は鉢植え用の比較的小型の植物支持装置に採用した本発明の第１の実施形態を例示する。この植物支持装置は、図１〜図３に示すように安定板１と、この安定板１上に立設された網状支柱２とを備え、安定板１上に１個又は複数個の植木鉢Ａを配置して、その植木鉢Ａに植えられた蔓性植物Ｂを網状支柱２に絡ませて支持しながら栽培できるようになっている。
【００２２】
網状支柱２は下端が安定板１により支持された自立性を有する第１網体３と、この第１網体３の上部側の一側面に着脱自在に結合された第２網体４とを備えている。各網体３，４は左右方向に略等間隔をおいて配置された複数本（例えば７本程度）の縦材５，６と、上下方向に略等間隔をおいて配置された複数本の横材７，８とを有し、その縦材５，６と横材７，８とが縦横に交差する各交差部で溶接等により固着されている。
【００２３】
第１網体３は縦長状であり、第２網体４は第１網体３の横幅と略同じ程度の横長状である。第１網体３、第２網体４は横方向の中央から若干偏位した位置（例えば略１対２となる位置）で１本の縦材５，６に沿って平面視逆向きの山形状（屈曲角度が略直角又はそれに近い鈍角のへ字状）に屈曲されている。そして、この第１網体３と第２網体４は夫々の屈曲頂部３ａ，４ａが外側となり、相手側の短辺側と長辺側とが周方向に隣接する状態で相対向して配置され、第２網体４が第１網体３の上部又は上端側の一側に着脱自在に結合されている。
【００２４】
従って、網状支柱２の上部側には、蔓性植物Ｂを周方向に繁茂させるための繁茂部９が第１網体３と第２網体４とによって矩形筒状に形成され、この繁茂部９が下側の第１網体３により片持ち状に支持されている。なお、繁茂部９は第１網体３の内側で安定板１上に載置された植木鉢Ａから十分に離れた位置にある。
【００２５】
各横材８は横方向の両端に縦材６から突出する突起１０を有する。そして、第１網体３と第２網体４との結合部１３では、その複数本の横材８の両端の突起１０が、第１網体３の両端の縦材５の内側の網目に挿入され、両網体３，４の横方向の両端の縦材５，６同士が当接した状態で両端の縦材５に弾性的に係合している。第２網体４の複数本の横材８は、第１網体３の対応する横材７の上側に位置し、第１網体３の横材７により下降しないように支持されている。なお、第２網体４は第１網体３の上端と略同一高さでもよいし、第１網体３から上側に突出するようにしてもよい。
【００２６】
第１網体３は山形状に屈曲する横材７に対して第２網体４側に縦材５が配置され、第２網体４は山形状に屈曲する横材８に対して第１網体３と反対側に縦材６が配置されており、第２網体４の横材８の両端の突起１０が第１網体３の両端の縦材５に弾性的に係合したときに、両網体３，４の両端の縦材５，６同士が当接するようになっている。
【００２７】
結合部１３の横材８の両端の突起１０には、図３に示すように、その横材８の両端を外れ止め用の係合部１１が予め設けられ、この係合部１１を第１網体３の縦材５に係脱自在に係合させることによって突起１０の外れを防止している。両係合部１１は第１網体３の横材７の両端の突起１２に沿うように横材８の両端を略直角に折り曲げることにより構成されている。なお、係合部１１の折り曲げ角度は直角よりも大でも小でもよいが、係合部１１の横材８から折り曲げ側への直角方向の突出量は、突起１０を縦材５に係合させるときに、その係合部１１が邪魔にならない程度の長さになっている。
【００２８】
安定板１は網状支柱２を自立状態で安定化させる安定化手段１４を構成するものであって、石板、その他の安定性のよい材料により矩形状に形成されている。この安定板１には図４に示すように、第１網体３の各縦材５に対応する複数個の取り付け孔１５が上下に貫通状に形成され、その取り付け孔１５に第１網体３の各縦材５の下端の突起１６が上側から挿脱自在に挿入されている。
【００２９】
なお、第１網体３はその下端の突起１６を取り付け孔１５に挿入して適宜手段により安定板１に固定してもよい。安定板１は各辺が繁茂部９の各辺と略平行になる矩形状に構成されているが、図１、図３に二点鎖線で示すように繁茂部９に対して斜めに傾斜状に設けてもよいし、その他の形状にしてもよい。また第１網体３、第２網体４の各辺は、図３に二点鎖線で示すように円弧状に湾曲させてもよいし，網状、その他の形状に屈曲させてもよい。第１網体３、第２網体４の各辺を円弧状等にした場合には、繁茂部９に丸みを持たせる等、繁茂部９の形状に変化を付けることが可能である。
【００３０】
この植物支持装置は庭、ベランダ等で鉢植えの蔓性植物Ｂを栽培する際に使用する。蔓性植物Ｂを植えた植木鉢Ａを安定板１上に置き、その蔓性植物Ｂを網状支柱２に絡み付けて上に伸ばして行く。網状支柱２の上部には、第１網体３と第２網体４とによって矩形筒状に構成された繁茂部９があり、蔓性植物Ｂが繁茂部９まで成長すれば、この繁茂部９に沿って周方向に蔓性植物Ｂを繁茂させることができる。
【００３１】
従って、板状の偏平な網状支柱を使用する場合に比較して、網状支柱２の上部側で蔓性植物Ｂを立体的に繁茂させることができる。また網状支柱２は折り曲げた第１網体３と第２網体４とを山形状に折り曲げると共に、その両網体３，４を屈曲頂部３ａ，４ａを外側にした状態で相対向状に結合して構成しているため、網状支柱２自体の剛性を容易に確保することができる。
【００３２】
第１網体３の一側面に第２網体４を結合するに当たっては、第２網体４を横材７，８の弾性に抗して横方向に弾性変形させた状態で、その両端の突起１０を第１網体３の横方向の両端の縦材５，６の内側へと挿入しているので、両網体３，４が同一方向に屈曲する場合に比較して第１網体３に対する第２網体４の結合が非常に容易であり、網状支柱２の剛性を確保しながら両網体３，４を確実に結合することができる。従って、第１網体３の一側面に第２網体４を結合した網状支柱２を容易に製作でき、独自性のある個性的な植物支持装置を容易に製作することができる。
【００３３】
また第２網体４側の横材８の両端の突起１０には外れ止め用の係合部１１があるため、第２網体４を弾性変形させて両網体３，４を結合する際にも、その突起１０の外れを未然に防止できる。また突起１０に係合部１１を設けることにより、横材８の両係合部１１の先端間の間隔が大になるが、一方の突起１０が係合した状態で第２網体４を鋭角状に弾性変形させながら他方の突起１０を係合させればよいので、両網体３，４を係合させる上で、別段問題はない。
【００３４】
なお、この実施形態では、繁茂部９を矩形筒状に構成しているが、両網体３，４を鈍角状に屈曲させて、両網体３，４により菱形筒状の繁茂部９を構成するようにしてもよい。また第１網体３はその下端の突起１６を安定板１の取り付け孔１５に挿入する場合、突起１６を安定板１に対して挿脱自在に挿入してもよいし、突起１６の下端を安定板１の下側で折り曲げて挿脱不能に挿入してもよい。
【００３５】
図５〜図７は本発明の第２の実施形態を例示する。この植物支持装置では、網状支柱２の上部に棚部１７を設けたものである。網状支柱２は、図５、図６に示すように、横方向の略中央で山形状に屈曲する第１網体３と、この第１網体３の一側面に結合部１３で結合され且つ第１網体３から上方に突出する第２網体４とを有し、第２網体４は棚支持部１７ａと、棚支持部１７ａの上端から第１網体３の上方側へと屈曲する略水平状又は傾斜状の棚部１７とを有する。
【００３６】
この実施形態では、第１網体３はその縦材５、横材７の間隔が第２網体４の縦材６、横材８の間隔の整数倍（例えば２倍）であり、第１の実施形態と同様に山形状に屈曲され且つ安定板１上に縦長状に固定されている。一方、第２網体４は平坦状であって、山形状に屈曲する第１網体３の開放端側に上下方向に配置されている。そして、第１網体３は、図７に示すように、その上部の複数本の横材７の両端の突起１２に係合部１１が設けられ、その突起１２、係合部１１が第２網体４の棚支持部１７ａの下部側の両端から２本目の縦材６の内側に挿入されて第２網体４の各縦材６に弾性的に係合している。
【００３７】
なお、第１網体３の横材７の突起１２は第２網体４の両端の縦材６に係合するようにしてもよいし、それよりも内側の中間の縦材６に係合するようにしてもよい。また第２網体４の棚部１７は第１網体３と反対側に設けてもよい。第２網体４の棚支持部１７ａはその上部側を棚部１７と反対側に円弧状に湾曲させてもよい。
【００３８】
第１網体３は山形状に屈曲する横材７に対して第２網体４と反対側に縦材５が配置され、第２網体４は横材８に対して第１網体３側に縦材６が配置されており、第１網体３の横材７の両端の突起１２が第２網体４の両端の縦材６に弾性的に係合したときに、両網体３，４の両端の縦材５，６同士が当接するようになっている。他の構成は第１の実施形態と同様である。
【００３９】
この植物支持装置は、花が垂れ下がる藤等の蔓性植物の栽培に利用する。例えば、第１網体３を挟んで安定板１上に３個の植木鉢Ａを置く等、安定板１上の適当位置に適当数の植木鉢Ａを置く。そして、植木鉢Ａの蔓性植物を第１網体３から第１網体３と第２網体４との間を経て第２網体４へと誘導し、第２網体４の上端の棚部１７へと案内する。
【００４０】
従って、蔓性植物が藤等の場合には、その花房が棚部１７から下方へと垂れ下がることとなり、見栄えよく蔓性植物を栽培することができる。勿論、棚部１７以外の他の部分からも花房が垂れ下がるようにしてもよい。また棚部１７の上側で多数の花が咲くように蔓性植物を栽培してもよい。
【００４１】
また第１網体３と第２網体４とを結合する際には、第１網体３を弾性変形させながら突起１２を第２網体４の縦材６に係合させればよい。従って、両網体３，４の係合用の突起１０，１２は、第１の実施形態のように第２網体４に設けてもよいし、この実施形態のように第１網体３に設けてもよい。
【００４２】
図８、図９は本発明の第３の実施形態を例示する。この植物支持装置は、Ｔ字状の網状支柱２を備えている。即ち、網状支柱２は、縦長状の第１網体３と、この第１網体３の上部に着脱自在に結合され且つ第１網体３から左右両側に突出する横長状の第２網体４とを備え、その第２網体４により左右両側に広がる繁茂部９が構成されている。
【００４３】
第１網体３は横方向の略中央で山形状に屈曲され、この第１網体３の上部側のＶ字状に間放する一側面に第２網体４がＴ字状に結合されている。結合部１３に対応する第１網体３の横材７は両端に突起１２及び係合部１１を有し、その突起１２、係合部１１が第２網体４の中間の縦材６に係脱自在に係合している。他の構成は第１又は第２の実施形態と同様である。
【００４４】
このような植物支持装置では、山形状に屈曲する第１網体３の内側で安定板１上に植木鉢Ａを置く。そして、植木鉢Ａの蔓性植物を第１網体３から第１網体３と第２網体４との間へと誘導し、左右両側に広がる第２網体４に沿って左右両側へと絡み付かせて行く。これによって第１網体３から第２網体４の全体にわたって正面視Ｔ字状に蔓性植物を繁茂させることができる。
【００４５】
なお、繁茂部９は、図９に二点鎖線で示すように平面視Ｓ状、波状又はその他の形状に湾曲又は屈曲させてもよい。また繁茂部９はその側面視形状をＳ状、波状又はその他の形状に湾曲又は屈曲させてもよい。
【００４６】
図１０〜図１２は本発明の第４の実施形態を例示する。この植物支持装置は、網状支柱２の上部外周に円形状の繁茂部９を備えている。即ち、網状支柱２は横方向の略中央で山形状に屈曲された第１網体３と、この第１網体３の上部側のＶ字状に間放する間放側と屈曲頂部３ａ側との両側面に結合された円弧状の二つの第２網体４Ａ，４Ｂとを備え、その第２網体４Ａ，４Ｂにより円形状の繁茂部９が形成されている。
【００４７】
各第２網体４Ａ，４Ｂは横材８の両端に突起１０、係合部１１が設けられ、その突起１０が第１網体３の両端の縦材５に弾性的に係合している。第１網体３は山形状に屈曲する横材７に対して第２網体４Ａ側に縦材５が配置されている。第２網体４Ａは横材８に対して第１網体３と反対側に縦材６が配置され、また第２網体４Ｂは横材８に対して第１網体３側に縦材６が配置されている。
【００４８】
従って、第１網体３の両側に第２網体４Ａ，４Ｂを結合したときに、第２網体４Ａの両端の縦材６が第１網体３の両端の縦材５に当接し、第２網体４Ｂの両端の縦材６が第１網体３の両端の縦材５の近傍で横材７に当接する。なお、第２網体４Ｂの縦材６は、第２網体４Ａの縦材６と同様に第１網体３と反対側に設けてもよい。他の構成は各実施形態と同様である。
【００４９】
このような植物支持装置では、第１網体３の上部外周に、各第２網体４Ａ，４Ｂによって構成された円形状の繁茂部９があるため、植木鉢Ａから上側に伸びた蔓性植物をその胴部１８に沿って周方向に絡み付かせながら栽培できる。なお、第２網体４Ａ，４Ｂは細かく波状に湾曲しながら全体として円弧状に湾曲させてもよい。
【００５０】
図１３、図１４は本発明の第５の実施形態を例示する。この植物支持装置は、網状支柱２の上部に、外側に円弧状に突出する周方向に複数個、例えば３個の繁茂部９が設けられている。網状支柱２は、山形状に屈曲する縦長状の第１網体３と、この第１網体３の上部外周に装着された複数個（例えば３個）の第２網体４とを備え、その各第２網体４により各繁茂部９が構成されている。
【００５１】
第１網体３は横方向の略中央で山形状に屈曲されている。３個の第２網体４は半円状、その他の適宜形状の円弧状に湾曲している。そして、２個の第２網体４は山形状に屈曲する第１網体３の二辺に対応してその外側に配置され、その横材８の両端の突起１０が第１網体３の二辺の両端の縦材５に弾性的に係合している。また残りの１個の第２網体４は第１網体３の開放側の内部に対向して配置され、その横材８の両端の突起１０が第１網体３の両端から２個目の縦材５に弾性的に係合している。従って、第１網体３の上部外周には、円弧状に突出する繁茂部９が周方向に略等間隔をおいて３個配置されている。他の構成は各実施形態と同様である。
【００５２】
なお、突起１０は係合部１１を有する。第２網体４は図１４に二点鎖線で示すように外側へと大きく突出する円弧状にしてもよいし、その他の形状、例えばコ字状、Ｖ字状に構成してもよい。
【００５３】
この場合にも第１網体３及び３個の第２網体４に絡み付かせながら蔓性植物を栽培することができる。しかも網状支柱２の上部に、第２網体４により形成され各外側に突出する繁茂部９が周方向に３個あるため、その各繁茂部９の配置に従って蔓性植物を繁茂させることができる。
【００５４】
図１５〜図２２は本発明の第６の実施形態を例示する。この植物支持装置は、図１６〜図１８に示すように、網状支柱２がベランダ等の下構造物２０と上構造物２１との間に上下方向の突っ張り状に設置されている。即ち、植物支持装置は、下構造物２０上に配置された安定板１と、上構造物２１側に当接する当接板２２と、これら安定板１及び当接板２２間に上下方向に突っ張り状に配置された網状支柱２とを備え、安定板１上又はその近傍に植木鉢Ａを配置して、その植木鉢Ａに植えられたバラ、ツタ等の長尺性の鑑賞用植物を網状支柱２に絡ませて栽培するようになっている。
【００５５】
網状支柱２は下側の第１網体３と上側の第２網体４とを上下に接合して構成されている。各網体３，４は横方向の略中央よりも若干偏位した位置で１本の縦材５，６に沿って平面視へ字状（山形状）に屈曲されている。第１網体３と第２網体４は、網状支柱２の中間の結合部１３において両者の短辺同士、長辺同士が相対向すべく上下方向に接続され固定具２３により固定されている。なお、各網体３，４は横方向の略中央で略直角に屈曲する山形状でもよい。また第１網体３、第２網体４は山形状以外の形状に屈曲又は湾曲させてもよい。
【００５６】
両網体３，４の結合部１３では第１網体３の一側面に第２網体４が配置され、第２網体４の下部側の複数本の横材８の両端の突起１０が第１網体３の幅方向の両端の縦材５の内側で網目に挿入されて、両網体３，４の両端の縦材５，６同士が当接した状態で第２網体４の横材８の突起１０が第１網体３の縦材５に弾性的に係合している。
【００５７】
第１網体３は山形状に屈曲する横材７の第２網体４側に縦材５が配置され、第２網体４は山形状に屈曲する横材８の第１網体３と反対側に縦材６が配置されており、第２網体４の横材８の両端の突起１０が第１網体３の両端の縦材５に弾性的に係合したときに、両網体３，４の両端の縦材５，６同士が当接している。
【００５８】
両網体３，４の縦材５，６、横材７，８は図１８に示すような配置でもよい。例えば、図１８（ａ）に示すように両網体３，４の縦材５，６を横材７，８の内側に配置してもよいし、図１８（ｂ）に示すように両網体３，４の縦材５，６を横材７，８の外側に配置してもよい。また図１８（ｃ）に示すように第１網体３の縦材５を横材７の外側に、第２網体４の縦材６を横材８の内側に夫々配置してもよい。
【００５９】
網状支柱２は両網体３，４の上下の横材７，８間の寸法内で微調整可能であり、その調整後に固定具２３で当接状態にある縦材５，６同士が締結し固定されている。固定具２３には例えば図１９、図２０に示すように、当接状態の２本の縦材５，６に巻き付ける締結バンド２４と、この締結バンド２４を締め付ける締結ネジ２５及び締結ナット２６とを備えた締結式のものが使用されている。なお、固定具２３は両網体３，４の縦材５，６同士を着脱自在に固定できるものであれば十分である。
【００６０】
第２網体４の下部側の一部の横材８には、その突起１０に係合部１１が設けられており、その係合部１１が第１網体３の両端の縦材５に外れないように係合している。
【００６１】
安定板１、当接板２２は矩形状に構成されているが、他の形状でもよい。安定板１には、図２１に示すように、第１網体３の各縦材５に対応して長孔、丸孔等の取り付け孔１５が形成され、その各取り付け孔１５に第１網体３の縦材５の下端の突起１６が上側から、Ｕ字状の固定材２７が下側から夫々挿通されている。
【００６２】
固定材２７は安定板１の裏側に沿って配置された裏側部２７ａと、この裏側部２７ａの両端から縦材５に沿って起立して取り付け孔１５に挿通された起立部２７ｂと、各起立部２７ｂの上端側を折り曲げて形成され且つ第１網体３の横材７に係合する係合部２７ｃとを有し、安定板１に第１網体３を自立状に固定するようになっている。固定材２７の起立部２７ｂ間の間隔は、第１網体３の縦材５間の間隔よりも若干小さく、２本の縦桟５の内側に各起立部２７ｂが位置するようになっている。
【００６３】
なお、固定材２７の裏側部２７ａは、安定板１の安定性が向上するように、二つの取り付け孔１５間で安定板１の裏面に形成された連絡溝１５ａ内に収めてもよい。また固定材２７の裏側部２７ａは、安定板１の裏面に沿って上下に薄い偏平状にして、安定板１の安定性を確保するようにしてもよい。固定材２７の起立部２７ｂ間の間隔は第１網体３の縦材５間の間隔と略同一として、図２１（ａ）に二点鎖線で示すように、各縦材５に対して同じ側に起立部２７ｂが位置するようにしてもよい。
【００６４】
当接板２２は、図２２に示すように、第２網体４の各縦材６に対応する取り付け孔２８を有し、その各取り付け孔２８に第２網体４の縦材６の上端の突起２９が下側から挿入されている。なお、当接板２２はその取り付け孔２８に第２網体４の突起２９を挿入しただけであるが、安定板１と同様に第２網体４に固定してもよい。なお、安定板１、当接板２２は構造物２０，２１がコンクリート等の場合には省いて、網状支柱２を直接各構造物２０，２１に当接してもよい。他の構成は各実施形態と同様である。
【００６５】
この植物支持装置は、次のようにしてマンションのベランダ等に設置する。施工に際しては、予めへ字状に折り曲げた第１網体３及び第２網体４を準備し、その第１網体３の縦材５の下端側の突起１０を安定板１の取り付け孔１５に挿入する。このとき安定板１の取り付け孔１５に下側から固定材２７を挿入しておき、その後、その各取り付け孔１５に上側から第１網体３の縦材５の突起１６を挿入することが望ましいが、逆でもよい。
【００６６】
第１網体３の各縦材５の突起１６を安定板１の取り付け孔１５に挿入した後、固定材２７の起立部２７ｂを第１網体３の下から二番目の横材７に引っ掛けて下側へと折り曲げることにより係合部２７ｃを形成し、この固定材２７により第１網体３を安定板１上に固定する。第１網体３はへ字状に屈曲してそれ自体で剛性を有し、しかも固定材２７で安定板１に固定されているため、第１網体３に十分な剛性を持たせることができる。
【００６７】
次に第２網体４の縦材５の上端の突起１０を当接板２２の取り付け孔２８に挿入した後、当接板２２が天井の下側近傍に位置するように、第２網体４の下部を第１網体３の上部に結合する。この場合、第２網体４の下部側を横材８の弾性に抗して、その横方向の両端の突起１０を第１網体３の横方向の両端の縦材５の内側へと挿入し、第２網体４の横材８の弾性により第２網体４の下部側を幅方向に拡大方向に復元させると、両網体３，４の横方向の両端の縦材５，６同士が当接した状態で第２網体４の突起１０が第１網体３の縦材５に係合する。
【００６８】
この結合状態では、第１網体３の横材７上に第２網体４の横材８が重なった状態となり、上下の横材７，８間の間隔の範囲内で第２網体４を上方に摺動させてその高さを調整することができる。そこで、第２網体４を第１網体３に対して上側へと摺動させて当接板２２を天井側に当接させ、上下両側に突っ張った状態で固定具２３により両網体３，４の幅方向の両端の縦材５，６同士を締結して固定する。
【００６９】
これによってマンションのベランダ等において、その下構造物２０と上構造物２１との間に網状支柱２を上下方向に突っ張った状態に容易に設置することができ、植木鉢Ａに植えた蔓性植物をその網状支柱２に絡み付かせて栽培することができる。このためマンションのベランダ等の緑化力に寄与できる。
【００７０】
また網状支柱２はへ字状に折り曲げた第１網体３と第２網体４とを相対向状に結合して構成しているため、各網体３，４の剛性を十分に確保でき、下構造物２０と上構造物２１との間に突っ張り状に設置されていることと相俟って強風等に対しても十分に抗することができる。
【００７１】
第１網体３の一側面に第２網体４を接合するに当たっては、第２網体４の下部側を横材８の弾性に抗して、その横方向の両端の突起１０を第１網体３の幅方向の両端の縦材５の内側へと挿入し、第２網体４の横材８の弾性力により第２網体４の下部側を横方向に拡大方向に復元させて結合すればよいので、両網体３，４が同一方向に屈曲する場合に比較して第１網体３に対する第２網体４の結合が非常に容易であり、網状支柱２の剛性を確保しながら両網体３，４を確実に結合することができる。
【００７２】
またへ字状に屈曲する両網体３，４を結合部１３で内向きに対向させて結合しており、その結合部１３の上下で両網体３，４の屈曲形状が逆向きになっているため、両網体３，４が同一方向に屈曲する場合に比較して蔓性植物の絡み付きに変化を持たせること、網状支柱２の結合部１３とその上下両側でアクセントを持たせることも可能である。
【００７３】
図２３〜図２６は本発明の第７の実施形態を例示する。この植物支持装置は、図２３、図２４に示すように、アーチ状に構成された網状支柱２と、この網状支柱２の左右両端の下部に装着された左右一対の安定板１とを有し、バラ、ツタ、テッセン等の長尺性植物を網状支柱２に沿ってアーチ状に仕立てるようになっている。
【００７４】
網状支柱２は、各安定板１から平面視へ字状に屈曲形成され且つ各安定板１から起立する左右一対の第１網体３と、各第１網体３の上側に結合され且つ上端側が相手側へと円弧状に湾曲する左右一対の第２網体４と、各第２網体４の上端間を連結する連結網体３１とを備え、全体として正面視アーチ状に構成されている。
【００７５】
第１網体３、第２網体４は共に縦長状である。各第１網体３は、図２４に示すように、横方向の略中央で縦材５に沿って山形状に屈曲されている。各第１網体３は、図２６に示すように、縦材５の下端の突起１６が安定板１の取り付け孔１５に挿通され、固定材２７により安定板１に固定されている。
【００７６】
固定材２７は針金等の金属線材であって、図２６に示すように、両端側を安定板１の隣接する２個の取り付け孔１５に下側から挿通して縦材５，６に沿って上側へと引き出して、下から２本目の横材７と縦材５との交差部３２に巻き付けた後、その下側で縦材５に巻き付けることにより、第１網体３を安定板１に固定するようになっている。なお、第１網体３は第６の実施形態と同様にして安定板１に固定してもよい。
【００７７】
左右の第１網体３はその屈曲頂部３ａが内向きに相対向するように配置されており、この各第１網体３の外側上部に、横材７の外側に突出する両端の突起１２を利用して、各実施形態と同様に第１網体３から上方に突出する第２網体４が結合されている。第１網体３と第２網体４との結合部１３では、例えば図２５（ａ）に示すように第１網体３の横材７の突起１２に縦材６に係合する係合部１１が設けられている。なお、図２５（ｂ）に示すように、両網体３，４を結合した後に第２網体４の横材８の両端の突起１０を縦材５，６側に折り曲げて折り曲げ部８ａを形成してもよい。
【００７８】
左右の第２網体４は図２３、図２４に示すように上側が内側へと湾曲しており、その上端の横材７，８同士が連結網体３１を介して連結されている。連結網体３１も各網体３，４と同様に縦材３４と横材３５とを備え、その対向する両端に横材８，３５同士が当接した状態で縦材３４の両端の折り曲げ部３４ａにより離脱不能に結合されている。なお、両第２網体４の上端の横材７，８同士を当接させて、金属線材等の締結手段で締結してもよい。他の構成は各実施形態と同様である。
【００７９】
この植物支持装置を使用してバラ、テッセン、ツタ等の長尺性植物を栽培する場合には、その長尺性植物を植えた植木鉢Ａを第１網体３の外側で左右の安定板１上に載せる。そして、第１網体３に絡み付かせながら両網体３，４の結合部１３内を経て第２網体４側へと案内し、その第２網体４の内外の何れかに沿って上へと伸ばして、全体として第１網体３、第２網体４に沿ってアーチ状に仕立てて行けばよい。
【００８０】
このような植物支持装置の場合にも、各実施形態と同様に第１網体３と第２網体４とを容易且つ確実に結合できる利点がある。また山形状に屈曲する左右の第１網体３の屈曲頂部３ａを内側に向けて配置して、その第１網体３の外側に第２網体４を結合しているため、第１網体３の裏側に第２網体４を配置する場合に比較してアーチ状の植物支持装置の安定性が向上する。
【００８１】
従って、安定板１の外側に植木鉢Ａを載せることと相俟って、植物の成長に伴って左右の第２網体４の上端側に大きな重量が加わるようになっても、第１網体３の内側への倒れを未然に防止できる。また第１網体３と第２網体４との結合部１３には係合部１１を設けているので、第１網体３と第２網体４とが外れるようなこともない。
【００８２】
なお、この実施形態ではアーチ状になっているが、頂部側を平坦な棚状に構成して、左右両側が支柱部により支持された藤棚、キウイ棚、ブドウ棚を構成するようにしてもよい。
【００８３】
図２７は本発明の第８の実施形態を例示する。アーチ式の植物支持装置では、平面視山形状に屈曲した第１網体３を使用するが、その屈曲形状は横方向の中央でく字状に屈曲させる他、図２７に示すようにへ字状に屈曲させたものを使用してもよい。またへ字状の第１網体３を使用する場合、図２７（ａ）に示すように左右対称に配置してもよいし、図２７（ｂ）に示すように左右非対称に配置してもよい。何れの場合にも、第２網体４は左右の各第１網体３の外側（開放側）に結合するのが望ましい。他の構成は第７の実施形態と同様である。
【００８４】
図２８は本発明の第９の実施形態を例示する。アーチ式、その他の植物支持装置において、その第１網体３は図２８（ａ）（ｂ）に示すように縦材５に対応する箇所で横材７をＭ字状又はＷ字状に折り曲げたものを使用してもよい。
【００８５】
このような屈曲形状の第１網体３を使用すれば、縦長状の第１網体３の立て方向の剛性が増大するため、植物支持装置が大型のアーチ式の場合にも、その剛性を大にできる利点がある。また第１網体３を非対称の屈曲形状とすることにより、変化に富んだ味わいのある植物支持装置を得ることができる。他の構成は第７の実施形態と同様である。
【００８６】
図２９は本発明の第１０の実施形態を例示する。アーチ式、その他の網状支柱２を備えた各種の植物支持装置を庭等の地面３７に設置する際には、第１網体３の下端側の安定化手段１４は、図２９に示すように、地面３７に据え付け穴３８を掘って土中に埋め込むようにしてもよい。
【００８７】
図２９（ａ）の場合には、先ず第１網体３の縦材５の下端の突起１６を安定板１の取り付け孔１５に挿通して、その安定板１の下側で折り曲げて抜け出し不能に固定する。そして、その安定板１を地面３７の据え付け穴３８内に設置した後、その据え付け穴３８に土３８ａを埋め戻して第１網体３の下端及び安定板１を土中に埋め込む。
【００８８】
また図２９（ｂ）の場合には、先ず地面３７の据え付け穴３８内にアンカー杭３９を打ち込む。そして、その据え付け穴３８内に第１網体３を据え付けて、第１網体３とアンカー杭３９とを棕櫚紐、針金等の締結手段３６で結合した後、据え付け穴３８に土３８ａを埋め戻して、第１網体３の下端及びアンカー杭３９を土中に埋め込む。アンカー杭３９は第１網体３の両端側と中間の屈曲頂部３ａ側との３箇所に設けるのが望ましい。
【００８９】
なお、第１網体３は第１〜第５、第７〜第９の各実施形態と同様に平面視山形状に屈曲している。また網状支柱２は第２網体４と結合せずに第１網体３単独で構成してもよいし、第１網体３から上側の部分を各実施形態と同様に構成してもよい。
【００９０】
このように安定化手段１４を構成する安定板１、アンカー杭３９等を地面３７内に埋め込むことによって、地面３７上に安定板１等が露出する場合に比較して見栄えが向上し、また蔓性植物を地面３７に直植えする場合にも安定板１等が邪魔になるような問題もない。勿論、蔓性植物は地面３７に直植えしてもよいし、第１網体３の近傍に配置した植木鉢Ａに植えてもよい。また図２９（ａ）の安定板１を省略して、第１網体３の下部を所定深さまで地中に埋め込んでもよい。
【００９１】
図３０、図３１は本発明の第１１の実施形態を例示する。この植物支持装置は、網状支柱２の下部を地中に埋め込む一方、その網状支柱２の安定化手段１４として木杭、竹杭等の複数本のアンカー杭３９を利用している。なお、網状支柱２は山形状に屈曲する第１網体３を有する等、各実施形態と同様である。
【００９２】
この場合には、図３０、図３１に示すように、地面３７に第１網体３の屈曲形状に沿って幅の狭い溝状の据え付け穴３８を堀り、その据え付け穴３８内に第１網体３を据え付けた後、据え付け穴３８に土３８ａを埋め戻して、第１網体３の下端を土中に埋め込む。
【００９３】
一方、土３８ａの埋め戻し前又は後に、第１網体３の屈曲頂部３ａの内側で地面３７に１本のアンカー杭３９を打ち、また第１網体３の各辺の外側に各辺に沿って地面３７に１本又は複数本のアンカー杭３９を打つ。そして、第１網体３の適当箇所を各アンカー杭３９に棕櫚紐等の締結手段３６により締結する。これによってアンカー杭３９、締結手段３６等によって安定化手段１４を構成することができ、この安定化手段１４により第１網体３を地面３７に固定できる。
【００９４】
アンカー杭３９は略同じ長さのものを使用してもよいが、第１網体３の両端部、中間の屈曲頂部３ａの内側に長いものを配置し、その中間に短いものを配置する等、場所によって長さを変えてもよい。
【００９５】
このように地面３７に第１網体３の屈曲形状に沿って溝状の据え付け穴３８を掘って、その据え付け穴３８内に第１網体３の下端部を据え付けることにより、第１網体３の下端部を土中に埋め込んでいるにも拘わらず、その据え付け穴３８の掘削幅を少なくできる。また木杭等のアンカー杭３９を使用し、そのアンカー杭３９を第１網体３に沿って地面３７上に露出状に打ち込んだ後、第１網体３を各アンカー杭３９に締結することにより、植物支持装置を蔓性植物の栽培に適した風情に仕上げることができる。
【００９６】
また第１網体３の内外両側にアンカー杭３９を配置することにより、複数本のアンカー杭３９により第１網体３を確実に固定でき、網状支柱１に絡まって蔓性植物が繁茂した状態で風圧を受けたような場合にも、その網状支柱１の転倒を未然に防止できる。また地面３７に複数本のアンカー杭３９を打ち込む場合には、全てのアンカー杭３９を略平行に打ち込むよりも、図３０、図３１の右側に示すように、その１本又は複数本のアンカー杭３９を他のアンカー杭３９と異なる方向に打ち込むことが望ましい。
【００９７】
図３２〜図３５は催し物会場に設置するフェンス、仕切り等の仕切り装置に採用した本発明の第１２の実施形態を例示する。この仕切り装置は、図３２、図３３に示すように、所定間隔を置いて配置された縦長状の第１網体３と、この第１網体３の上部に着脱自在に装着された横長状の第２網体４と、隣り合う第２網体４の中間に配置され且つ両第２網体４間を連結する横長状の第３網体４０とを備えている。第１〜第３網体３，４，４０は各実施形態と同様であり、複数個の縦材５，６，４１と横材７，８，４２とを交差部で固着して構成されている。
【００９８】
第１網体３は第２網体４を支持する支持用であって、平面視山形状に構成されており、下端部に装着された安定板１の支持により自立可能である。なお、第１網体３は図３３に実線で示すように横方向の中央から若干偏位した位置で屈曲してもよいし、図３３に二点鎖線で示すように横方向の中央位置で屈曲してもよい。第１網体３の上部一側には横長状の第２網体４が配置されており、第１網体３の上部側の複数個の横材７の両端の突起１２を、第２網体４の中間の対応する縦材６に弾性的に係合させることにより、第１網体３に着脱自在に結合されている。
【００９９】
第２網体４、第３網体４０は仕切り用であって、外周側の突起がない構造になっている。第３網体４０は第２網体４と略同じ上下幅を有し、隣り合う第２網体４間に配置され、両端の縦材６，４１同士が連結具４３により連結されている。
【０１００】
連結具４３は図３４、図３５に示すように、第２網体４及び第３網体４０の上下の横材８，４２間の間隔に対応する長さを有し、対応する上下の横材８，４２間で両網体４，４０の両端の縦材６，４１廻りに屈曲回動可能に連結するようになっている。この連結具４３は、Ｃ字状その他に屈曲する上下一対の連結部４３ａと、この上下の両連結部４３ａを一体に接続する接続部４３ｂとを備え、連結部４３ａで第２網体４及び第３網体４０の両端の縦材５，６を回動自在に抱き込むようになっている。従って、第２網体４と第３網体４０は、図３３に示すように、連結具４３の中心廻りに屈曲可能である。なお、連結具４３は第２網体４に対して第３網体４０が極端に低くならないように両者を連結できるものであればよい。
【０１０１】
このように自立性を有する縦長状の支持用の第１網体３と、この第１網体３の上部に着脱自在に装着される横長状の仕切り用の第２網体４とを組み合わせることによって、直線状又は屈曲状の仕切り装置を簡便に製作することができる。また隣り合う第２網体４は直接連結してもよいが、隣り合う第２網体４間を連結する第３網体４０を利用することによって、全体の長さに対して第１網体３の数を低減することができる。
【０１０２】
なお、安定化手段１４は地面に打ち込んだ杭、第１網体３に装着した砂袋等の重錘により構成してもよい。また仕切り装置が半恒久的な場合には、第１網体３の下端の安定化手段１４は地面に埋設してもよいし、コンクリート、モルタル等で固定してもよい。また第２網体４、第３網体４０が第１網体３の上部にあり、網体４，４０の下側が開放状になっているが、第１網体３の立て方向の略全長に第２網体４、第３網体４０が対応するように、第１網体３の高さと網体４，４０の高さを略同じにしてもよい。
【０１０３】
図３６は本発明の第１３の実施形態を例示する。段差、傾斜等のある設置部位４５ａ，４５ｂに設置する仕切り装置の場合には、図３６に示すように、隣り合う第２網体４間に第３網体４０を介装するに当たって、その高低差に応じた長さの連結具４３を使用する。そして、連結具４３の下端が第２網体４の横材８に、上端が第３網体４０の横材４２に当接するようにして、この連結具４３により第２網体４と第３網体４０との両端の縦材６，４１同士を連結する。他の構成は各実施形態と同様である。
【０１０４】
このようにすれば、各第１網体３の設置箇所に段差があるような傾斜地に仕切り装置を設置する場合にも、第１網体３の設置箇所の相互間の段差の略１／２で各網体４，４０の高さが変化するように第２網体４及び第３網体４０を設置することができる。従って、高低差がある場合にも容易に対応することが可能である。
【０１０５】
なお、連結具４３の上下寸法は、必ずしも第２網体４と第３網体４０との横材７，８の高低差に応じたものにする必要はない。他の構成は第１２の実施形態と同様である。従って、第１網体３、第２網体４、第３網体４０の高さを略同一高さとし、第２網体４、第３網体４０が地面に近接するようにしてもよい。
【０１０６】
図３７は本発明の第１４の実施形態を例示する。この仕切り装置は、長手方向に複数個の第２網体４を連結具４３で連結すると共に、その第２網体４の連結部４４に対応して縦長状の第１網体３が配置され、この第１網体３の横材７の両端の突起１２を各第２網体４の縦材６に係合させることにより、第１網体３が隣り合う２個の第２網体４に跨がって結合されている。例えば図３７の左側の第１網体３は隣り合う第２網体４の直線状連結部４４ａに対応して配置され、右側の第１網体３は隣り合う第２網体４の入隅状連結部４４ｂに対応して配置されている。他の構成は第１２、第１３の実施形態と同様である。
【０１０７】
このように第１網体３の横材７の両端の突起１２を第２網体４の対応する縦材６に弾性的に係合させて、第１網体３と第２網体４とを結合する場合にも、第２網体４が１個の一体構造である必要はなく、連結具４３で連結された二つの第２網体４でもよい。従って、設置場所の条件に応じたフェンス等の仕切りを簡便に自在に製作することができる。
【０１０８】
図３８〜図４１は本発明の第１５の実施形態を例示する。この仕切り装置は、図３８、図３９に示すように、リング状、その他の連結具４３により長手方向に連結され且つ地面（又は床面）３７に近接又は接地する複数個の仕切り用の第２網体４と、地面３７上に起立して第２網体４をその一側面の裏側から支持する複数個の支持用の第１網体３と、第１網体３を地面３７上に起立状に保持する重錘４６と、第２網体４の第１網体３とは反対側に装着された化粧シート等の化粧材５０とを備えている。
【０１０９】
第２網体４は横長状又は縦長状であって、縦材６と横材８とが縦横に配置され、外周が矩形状に形成されている。第１網体３は縦材５と横材７とを縦横に備え、山形状に屈曲している。第１網体３の上下方向に複数個の横材７の内、下端の横材７を除く各横材７は各実施形態と同様に縦材５から突出し且つ第２網体４の縦材６に弾性的に係合する突起１２を有し、その各突起１２に外れ止め用の係合部１１ａ，１１ｂが一体に折り曲げ形成されている。
【０１１０】
図４０、図４１に示すように、一方の係合部１１ａは略直角に折り曲げる等、屈曲角度が大であり、他方の係合部１１ｂは一方の係合部１１ａよりも屈曲角度の小さい直角未満の角度で屈曲している。従って、横材８から折り曲げ側への直角方向の突出量は、係合部１１ａが大であり、係合部１１ｂが小である。第１網体３の突起１２は第２網体４の横材８の下側近傍に位置している。なお、第１網体３の突起１２が第２網体４の横材８の下側に係合した場合には、第２網体４と地面３７との間に隙間が生じるが、その場合には地面３７との間に適宜スペーサを挿入してもよい。
【０１１１】
重錘４６は砂袋等であって、第１網体３、第２網体４が転倒しないように、第２網体４から遠い第１網体３の屈曲頂部３ａ側に着脱自在に引っ掛けて吊り下げられている。化粧材５０は第２網体４の表側に適宜手段により着脱自在に装着されている。なお、第１網体３は第２網体４毎に設けてもよいし、２以上の数個目の第２網体４に対応して設けてもよい。また第１網体３は第２網体４と略同一高さでもよい。他の構成は各実施形態と同様である。
【０１１２】
このような構成の仕切り装置では、第１網体３の両端の突起１２を第２網体４の縦材６に係合させる場合には、図４０に二点鎖線で示すように、その一方の突起１２の係合部１１ａを第２網体４の一方の縦材６に係合した後に、この一方の突起１２の係合部１１ａ側を中心にＸ矢示方向に外力を加えて、第１網体３を二点鎖線で示すように弾性変形させた後、第１網体３を係合部１１ａ廻りにＹ矢示方向に回動させながら、横材７を復元させて他方の突起１２の係合部１１ｂを第２網体４の縦材６に係合させる。
【０１１３】
このとき一方の突起１２の係合部１１ａの屈曲角度が大（係合量が大）であるため、第１網体３を回動させる際等に、その突起１２が第２網体４の縦材６から外れるようなことはない。また他方の突起１２の係合部１１ｂの屈曲角度が大であれば、図４１に二点鎖線で示すように、突起１２を第２網体４の縦材６に係合させる際に、第１網体３をＸ矢示方向に大きく弾性変形させる必要がある。しかし、この突起１２の係合部１１ｂの屈曲角度が小（係合量が小）であるため、第１網体３を大きく弾性変形させる必要がなく、突起１２を容易に係合させることができる。従って、第１網体３を第２網体４に容易且つ迅速に結合することができる。
【０１１４】
また第１網体３と第２網体４とを結合した状態で地面３７に配置し、その第１網体３に重錘４６を吊り下げる構造であるため、催し物会場等において設置場所の条件を問わずに容易に設置することができる。
【０１１５】
しかも第１網体３の突起１２が第２網体４の横材８の下側近傍にあるため、第１網体３に対して後方への転倒方向に外力が加わるようなことがっても、第１網体３の突起１２が第２網体４の横材８の下側に係合するため、化粧材５０を含む第２網体４側の荷重によって第１網体３の後方への転倒を阻止することができ、安定性が一段と向上する利点がある。
【０１１６】
図４２〜図４６は本発明の第１６の実施形態を例示する。この仕切り装置は、図４２、図４３に示すように、連結具４３により長手方向に連結され且つ地面（又は床面）３７に近接又は接地する複数個の仕切り用の第２網体４と、地面３７上に起立して隣り合う第２網体４の連結部４４をその一側面で裏側から支持する複数個の支持用の第１網体３と、第１網体３を地面３７上に起立状に保持する重錘４６と、第１網体３と隣り合う第２網体４の連結部４４又は一方の第２網体４との間に設けられ且つ隣り合う第２網体４相互の相対角度を規制する規制手段５１と、第１網体３と反対側で第２網体４に装着された化粧シート等の化粧材５０とを備えている。
【０１１７】
第１網体３の横材７の両端の突起１２、係合部１１ａ，１１ｂは第１５の実施形態と同様であり、隣り合う第２網体４の縦材８に係脱自在に係合している。規制手段５１は紐、針金その他の引張部材５２により構成された引っ張り式であり、隣り合う第２網体４の表側を略直線状又は入隅状に規制する箇所では、図４４、図４５に示すように、第１網体３の屈曲頂部３ａの縦材５と第２網体４の連結部４４ａ，４４ｂの連結具４３との間に設けられ、隣り合う第２網体４の表側を出隅状に規制する箇所では、図４６に示すように、第１網体３の屈曲頂部３ａ側に近い縦材５と一方の第２網体４の縦材６との間に設けられている。
【０１１８】
即ち、２個の第２網体４を略直線状に保持する直線状連結部４４ａでは図４４に、２個の第２網体４を入隅状に保持する入隅状連結部４４ｂでは図４５に夫々示すように、連結具４３と第１網体３の屈曲頂部３ａの縦材５と第２網体４の連結部４４の連結具４３との間に引張部材５２が設けられている。そして、この引張部材５２の長さを適宜調整することにより、２個の第２網体４を直線状と所定角度の入隅状との間で任意に変化させることができる。
【０１１９】
また２個の第２網体４を出隅状に保持する出隅状連結部４４ｃでは、図４６に実線又は二点鎖線で示すように、第１網体３の屈曲頂部３ａに近い側の縦材５と一方の第２網体４の適当位置の縦材６との間に引張部材５２が設けられている。引張部材５２は連結部４４、連結具４３から離れた位置、例えば第１網体３の突起１２が係合する縦材６に対して連結部４４ｃと反対側にある縦材６と、第１網体３の屈曲頂部３ａ側の縦材５とに跨がって設ける等、連結部４４から離れた位置の第２網体４側と、第１網体３の屈曲頂部３ａ側との間に設けるのが望ましい。そして、この引張部材５２の長さを適宜調整することにより、２個の第２網体４を所定角度の出隅状に任意に変化させることができる。他の構成は第１５の実施形態と同様である。
【０１２０】
このように引張部材５２により構成された規制手段５１を設けることにより、隣り合う２個の第２網体４を略真っ直ぐな状態に保持できるだけでなく、連結部４４ｂ，４４ｃを支点として２個の第２網体４を入隅状、出隅状に任意に屈曲させることができる。従って、催し物会場等の仕切り装置として使用する場合には、その設置現場の条件に応じて第２網体４を直線状、屈曲状の何れにも自在に配置できる利点がある。
【０１２１】
また引っ張り式の規制手段５１に例えば紐等の規制部材５２を使用することにより、第２網体４を直線状、屈曲状の何れに配置する場合にも容易に対応することができる。しかも規制手段５１が引っ張り式であるため、突っ張り式等のように剛強にする必要がなく簡単なものを使用できる。
【０１２２】
更に第２網体４を連結具４３で長手方向に多数連結しているような場合でも、第１網体３、重錘４６、化粧材５０等を取り外した後は、連結具４３により連結された状態のままで各第２網体４をジグザグ状に折り畳むことが可能であり、設置、撤去、運搬等に際しての取り扱いも容易である。
【０１２３】
なお、引張部材５２は紐等の他に、両端に係合部を有する棒状のものでもよい。また規制手段５１は突っ張り式でもよい。
【０１２４】
図４７、図４８は植木鉢載置装置に採用した本発明の第１７の実施形態を例示する。この植木鉢載置装置は、第１網体３により構成された左右一対の支持脚４７と、第２網体４により構成され且つ支持脚４７により下側から支持された載置台４８とを備え、その載置台４８を構成する第２網体４の各網目部分が植木鉢Ａ用の挿入部４９となっている。なお、植木鉢Ａの鑑賞用植物は、長尺性植物である必要はない。
【０１２５】
第１網体３、第２網体４は各実施形態と同様に縦材５，６と横材７，８とが縦横に配置されている。支持脚４７は第１網体３を折り曲げて構成されており、前後両側に上広がり状に配置された前支持部４７ａ及び後支持部４７ｂと、これら前支持部４７ａ、後支持部４７ｂ間を前後に連結する連結部４７ｃと、連結部４７ｃの前後両側に設けられた接地部４７ｄ，４７ｅとを一体に有する。
【０１２６】
各支持部４７ａ，４７ｂはその上端側の横材７から上側に突出する突起１２を左右方向に複数個（例えば３個）有し、その各突起１２が複数個（例えば３個）の前後両端又は両端から内側へ２個目の横材８の内側に弾性的に係合し、且つ第１網体３の上端側の横材７が複数個の縦材６に下側から当接している。前支持部４７ａは後支持部４７ｂよりも若干短くなっており、載置台４８（第２網体４）は前下り状に傾斜している。
【０１２７】
なお、第１網体３と第２網体４との突起１２による係合構造は各実施形態と同様である。また載置台４８は前後、左右が略水平状でもよい。左右の支持脚４７を連結して、１個の支持脚４７により載置台４８を支持するようにしてもよい。また載置台４８は側面視形状が波状になるように構成してもよい。載置台４８は前後幅に対して左右幅が大であるが、左右幅と前後幅が同程度でもよいし、左右幅に対して前後幅が大でもよい。
【０１２８】
このような構成の植木鉢載置装置では、第２網体４により構成された載置台４８の挿入部４９に植木鉢Ａを挿入して載置する。植木鉢Ａを挿入部４９に挿入して載置するため、載置台４８上での植木鉢Ａの移動、倒れ等を防止できる利点がある。植木鉢Ａが接近し過ぎる場合には、各挿入部４９に植木鉢Ａを千鳥状に配置すればよい。また植木鉢Ａが挿入部４９よりも大きい場合には、複数の挿入部４９に跨がって縦材６、横材８上に載置してもよい。
【０１２９】
図４９は本発明の第１８の実施形態を例示する。この植木鉢載置装置は、第１網体３により構成された支持脚４７と、第２網体４により構成され且つ支持脚４７により下側から支持された載置台４８とを備え、その載置台４８は前側の低い前載置部４８ａと、後側の高い後載置部４８ｂと、両載置部４８ａ，４８ｂ間の段差部４８ｃとを備え、第２網体４を折り曲げて構成されている。他の構成は第１３の実施形態と同様である。
【０１３０】
このように載置台４８に段差部４８ｃを介して前載置部４８ａと後載置部４８ｂとを設けてもよい。この場合には第２網体４を屈曲させて載置台４８を構成するため、載置台４８の剛性が大となり重量的に重たい植木鉢Ａを載置することもできる。
【０１３１】
載置台４８は前後に略同一高さの前載置部４８ａと後載置部４８ｂとを設け、その前載置部４８ａと後載置部４８ｂとの中間に、これらよりも一段高い中載置部を設けてもよい。この場合には、載置台４８の前後両側から鑑賞できる利点がある。なお、載置台４８は他の屈曲形状でもよい。
【０１３２】
以上、本発明の各実施形態について詳述したが、本発明は各実施形態に限定されるものではない。例えば各実施形態では、第１網体３と第２網体４との結合構造の具体例として植物支持装置、仕切り装置を例示しているが、これら以外の各種の網体を利用したものに広く活用できることは云うまでもない。
【０１３３】
各実施形態の結合構造では、第１網体３と第２網体４との一方の網体の横材７，８の両端の突起１０，１２が他方の網体の縦材５，６に弾性的に係合する場合を例示しているが、一方の網体の縦材５，６の両端の突起１０が他方の網体の横材７，８に係合する場合にも同様に実施可能である。例えば、第１網体３の上部に横長状の第２網体４を結合してＴ字状又はＬ字状の網状支柱２を構成する場合には、第２網体４の縦材６の上下両端の突起１０を第１網体３の対応する横材７に係合させてもよい。その場合、第２網体４は側面視屈曲状にしておけば適度な弾性を確保できる。
【０１３４】
また第１網体３、第２網体４、連結網体３１、第３網体４０等は、縦材５，６と横材７，８とを等間隔で縦横に配置してその交差部を固着したものが一般的であるが、他の構造の網体、例えば縦材５，６と横材７，８との間隔が異なる網体、斜材を菱形状に配置した網体、板金材に多数の孔を打ち抜き加工した網体等を使用してもよい。第１網体３、第２網体４等は鉄筋、ステンレス筋、針金等の金属線材を用いたものでもよいし、合成樹脂性の成型品でもよい。
【０１３５】
第１網体３、第２網体４等を屈曲状に構成する場合、略直角、直角に近い鋭角、直角に近い鈍角等の山形状に屈曲させる他、円弧状、波形状等の平面視形状、側面視形状を適宜形状に屈曲させてもよいし、コ字状、三角筒、四角筒又は円筒状に屈曲させてもよい。また第１網体３、第２網体４等は相手側の縦材５，６又は横材７，８に係合させる箇所に突起１０があれば十分であり、他の箇所の突起１０は省略してもよい。更に突起１０，１２の先端側に保護被覆を設けて怪我等を防止することが望ましい。
【０１３６】
突起１０，１２の先端側に係合部１１ａ，１１ｂを設ける場合、係合部１１ａ，１１ｂの折り曲げ角度を変える他、係合部１１ａ，１１ｂを略直角状に形成し、その横材７，８に対する直角方向への突出長さを変えてもよい。例えば係合部１１ａの突出長さを大にし、係合部１１ｂの突出長さを小にしてもよい。また係合部１１ａをＵ字状に構成してもよい。従って、係合部１１ａは縦材５，６等に対する係合量が大であり、係合部１１ｂは横材７，８に対する直角方向への突出長さが小であればよい。なお、第１５の実施形態に励磁する係合部１１ａ，１１ｂは、第１〜第１４の実施形態においても同様に採用可能であることは云うまでもない。
【０１３７】
各実施形態に例示の植物支持装置では、第１網体３の下端に安定板１等の安定化手段１４を設けているが、安定化手段１４を省略して第１網体３の下部を植木鉢Ａ内の土に挿入するようにしてもよい。また植物支持装置はテッセン、ツタ等の蔓性植物、バラ等の背丈が長くなる鑑賞用植物の栽培に用いるのが一般的であるが、これらに限定されるものではなく、キウイ棚としてキウイフルーツの栽培に用いたり、ブドウ棚としてブドウの栽培に用いる等、長尺性植物の栽培用全般に用いることができる。
【０１３８】
また第１網体３、第２網体４により仕切り装置を構成する場合、仕切り用の第２網体４を起立状に支持する第１網体３には、安定化手段１４として重錘４６を吊り下げる他、第１網体３の近傍にアイボルト等のアンカー杭３９を地面３７に打ち込み、第１網体３をそのアンカー杭３９に紐等により連結してもよい。
【符号の説明】
【０１３９】
２  網状支柱
３  第１網体
４  第２網体
５，６  縦材
７，８  横材
１０，１２，１６  突起
１１，１１ａ，１１ｂ  係合部
１３  結合部
１４  安定化手段
２０  下構造物
２１  上構造物
３１  連結網体
４０  第３網体
【図１】
2014076002.tif 000003
【図２】
2014076002.tif 000004
【図３】
2014076002.tif 000005
【図４】
2014076002.tif 000006
【図５】
2014076002.tif 000007
【図６】
2014076002.tif 000008
【図７】
2014076002.tif 000009
【図８】
2014076002.tif 000010
【図９】
2014076002.tif 000011
【図１０】
2014076002.tif 000012
【図１１】
2014076002.tif 000013
【図１２】
2014076002.tif 000014
【図１３】
2014076002.tif 000015
【図１４】
2014076002.tif 000016
【図１５】
2014076002.tif 000017
【図１６】
2014076002.tif 000018
【図１７】
2014076002.tif 000019
【図１８】
2014076002.tif 000020
【図１９】
2014076002.tif 000021
【図２０】
2014076002.tif 000022
【図２１】
2014076002.tif 000023
【図２２】
2014076002.tif 000024
【図２３】
2014076002.tif 000025
【図２４】
2014076002.tif 000026
【図２５】
2014076002.tif 000027
【図２６】
2014076002.tif 000028
【図２７】
2014076002.tif 000029
【図２８】
2014076002.tif 000030
【図２９】
2014076002.tif 000031
【図３０】
2014076002.tif 000032
【図３１】
2014076002.tif 000033
【図３２】
2014076002.tif 000034
【図３３】
2014076002.tif 000035
【図３４】
2014076002.tif 000036
【図３５】
2014076002.tif 000037
【図３６】
2014076002.tif 000038
【図３７】
2014076002.tif 000039
【図３８】
2014076002.tif 000040
【図３９】
2014076002.tif 000041
【図４０】
2014076002.tif 000042
【図４１】
2014076002.tif 000043
【図４２】
2014076002.tif 000044
【図４３】
2014076002.tif 000045
【図４４】
2014076002.tif 000046
【図４５】
2014076002.tif 000047
【図４６】
2014076002.tif 000048
【図４７】
2014076002.tif 000049
【図４８】
2014076002.tif 000050
【図４９】
2014076002.tif 000051
【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
縦横に配置された複数本の縦材と横材とを交差部で固着して構成された第１網体と、縦横に配置された複数本の縦材と横材とを交差部で固着して構成され且つ第１網体の側面に配置された第２網体とを備え、
第２網体の横材又は縦材における該第２網体の両端の縦材又は横材から突出する突起を、第１網体の対応する各縦材又は横材の内側に該第１網体の横材又は縦材と交差状に挿入して該対応する各縦材又は横材に内側から弾性的に夫々係合させた網体の結合構造であって、
第２網体の両端の縦材又は横材は第１網体に当接しており、
第２網体の各突起を外側に折り曲げて形成され且つ前記両端の縦材又は横材が第１網体に当接するように前記対応する各縦材又は横材に係合する係合部を有する
ことを特徴とする網体の結合構造。
【請求項２】
請求項１に記載の網体の結合構造を有し、
縦長状の第１網体と、該第１網体の上部に結合された第２網体とを備え、
該両網体により長尺植物を支持するようにした
ことを特徴とする植物支持装置。
【請求項３】
請求項１に記載の網体の結合構造を有し、
仕切り用の第２網体と、該第２網体を起立状に支持する第１網体とを備えた
ことを特徴とする仕切り装置。
【手続補正２】
【補正対象書類名】明細書
【補正対象項目名】０００９
【補正方法】変更
【補正の内容】
【０００９】
本発明に係る網体の結合構造は、縦横に配置された複数本の縦材と横材とを交差部で固着して構成された第１網体と、縦横に配置された複数本の縦材と横材とを交差部で固着して構成され且つ第１網体の側面に配置された第２網体とを備え、第２網体の横材又は縦材における該第２網体の両端の縦材又は横材から突出する突起を、第１網体の対応する各縦材又は横材の内側に該第１網体の横材又は縦材と交差状に挿入して該対応する各縦材又は横材に内側から弾性的に夫々係合させた網体の結合構造であって、第２網体の両端の縦材又は横材は第１網体に当接しており、第２網体の各突起を外側に折り曲げて形成され且つ前記両端の縦材又は横材が第１網体に当接するように前記対応する各縦材又は横材に係合する係合部を有するものである。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
また本発明に係る植物支持装置は、上記の網体の網体の結合構造を有し、縦長状の第１網体と、該第１網体の上部に結合された第２網体とを備え、該両網体により長尺植物を支持するようにしたものでる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
更に本発明に係る仕切り装置は、上記の網体の結合構造を有し、仕切り用の第２網体と、該第２網体を起立状に支持する第１網体とを備えたものである。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】